(57)【要約】【課題】管理権限を持つもののみが、取り外すことができるプラガブルモジュールを提供する。【解決手段】両側にケージとのラッチのための溝と、取り外しのための係合部とを有し、前記溝に沿って挿入し、前記係合部と奥行き方向で前記モジュール本体をロックするモジュール取り外し部を用いて前記ケージから取り外すプラガブルモジュールにより、達成できる。また、前記プラガブルモジュールと前記ケージとの間に挿入されるラッチ解除部と、前記プラガブルモジュールを取り外し方向にロックするロック部と、前記プラガブルモジュールを前記ケージから取り外すための取っ手部とを有する取り外し治具により、達成できる。【選択図】図８
2008186825.tif 000002
【特許請求の範囲】
【請求項１】
両側にケージとのラッチのための溝と、取り外しのための係合部とを有するモジュール本体と、
その一部が前記ラッチを解除するように前記溝に沿って配置され、前記係合部と奥行き方向で前記モジュール本体をロックするモジュール取り外し部と、
からなるプラガブルモジュール。
【請求項２】
両側にケージとのラッチのための溝と、取り外しのための係合部とを有するプラガブルモジュールであって、
前記溝に沿って挿入し、前記係合部と奥行き方向で前記モジュール本体をロックするモジュール取り外し部を用いて前記ケージから取り外すことを特徴とするプラガブルモジュール。
【請求項３】
請求項１または請求項２に記載のプラガブルモジュールであって、
前記係合部は、側面と交わる面に設けられたことを特徴とするプラガブルモジュール。
【請求項４】
請求項１または請求項２に記載のプラガブルモジュールであって、
前記モジュール本体は、光送受信機モジュールであることを特徴とするプラガブルモジュール。
【請求項５】
プラガブルモジュールをケージから取り外すための取り外し治具であって、
前記プラガブルモジュールと前記ケージとの間に挿入されるラッチ解除部と、前記プラガブルモジュールを取り外し方向にロックするロック部と、前記プラガブルモジュールを前記ケージから取り外すための取っ手部とを有することを特徴とする取り外し治具。
【発明の詳細な説明】
【技術分野】
【０００１】
本発明はプラガブルモジュールおよび取り外し治具に係り、情報伝送機器の外部に情報の送受信を行う、挿抜可能なプラガブルモジュールおよび取り外し治具に関する。
【背景技術】
【０００２】
近年、光送受信機は、光ファイバーデータ伝送技術の中核として、さまざまな情報処理装置に搭載され、大容量の双方向データ通信を容易に行うことができる。その中でもルータ、スイッチなど装置フロントパネルより光送受信機を直接脱着可能で、光コネクタを光送受信機に直接接続できる光レセプタクル型光送受信機が主流となりつつある。光送受信機は、搭載される情報処理装置との間で、電気データ信号により双方向の通信を行う。光送受信機は、レーザーダイオード、フォトディテクタおよび周辺回路を介して、電気データ信号と光データ信号との間で変換し、他の光送受信器と通信を行う。エンドユーザは、光伝送距離や使用方法などに応じて、光送受信機を交換可能である。
【０００３】
光送受信機の外装、接続コネクタ等を業界標準化とするマルチソース・アグリーメント（以降ＭＳＡ）が協定されている。ＭＳＡには、ＸＥＮＰＡＫ ＭＳＡやＸＦＰ ＭＳＡ等がある。ＭＳＡは外装のほかに、電気的特性や光学的特性の仕様も標準化している。ＭＳＡにおける外装寸法などの設計は、モジュールガイド(以降ケージ)の設計と止め機構、ケースの設計がある。ガイドと止め機構によって、モジュールの迅速な交換や、適切な接触位置の決定、接触力の確保を実現する。さらにこれらの機構は、作業者の乱暴な扱いからモジュールとライン・カードの損傷を防ぐといった役割を果している。
【０００４】
光送受信機モジュールの設計者は、光送受信モジュールを挿入するケージの設計を考慮し、止め機構の設計を行う。止め機構の設計は、多種にわたるものが発表されているが、主に挿抜の容易さや固定の頑丈さがメインに考慮されている。挿抜可能な光送受信機モジュールは、電源ラインやデータラインの設計に活線挿抜保護機能を有しているのが殆どである。しかし、止め機構は、不意な取り外し、脱落を保護するために重要である。
【０００５】
特許文献１には、着脱の際に、前部に搭載されたレバーを手前９０度に倒すことで、止め機構の解除が行える光送受信機モジュールが記載されている。
なお、ケージに挿入されるのは、光送受信機モジュールだけではなく電気送受信機モジュールも可能である。ケージに挿入するモジュールはプラガブルモジュールと呼ばれ、光送受信機モジュール、電気送受信機モジュールは、共にプラガブルモジュールである。
【０００６】
【特許文献１】米国特許出願公開第２００６／００７８２５９Ａ１号明細書
【発明の開示】
【発明が解決しようとする課題】
【０００７】
しかし、特許文献１に記載の止め機構は、光送受信機の扱いやすさのみが考慮されているため、いくつかの問題が考えられる。
第１に、不意な脱落が考えられる。このような挿抜可能な光送受信機を設置する環境では、周りに多数の同様な光送受信機が存在するため、レバーを手前に９０度倒すだけで止め機構が解除できる機構では、何らかの障害（光ファイバケーブルの絡みなど）により脱落する虞がある。
【０００８】
第２に、抜き取る際に使用するレバーの寸法に制約があることである。ＭＳＡでは、レバーのサイズに指定があり、縦方向に光送受信機が並んだ際に取り外しにくい。
第３に、安全性の問題がある。近年、光ファイバーデータ伝送技術が民生用にも使用され、エンドユーザの階層が下位になり、使用される場所、状況が拡大している。特許文献１に記載された光送受信機モジュールは、取り外しが容易なために、悪意を持って取り外されてしまう虞がある。また、悪意はなくとも、取り外せてしまう虞がある。取り外せてしまうことが原因で、光送受信機モジュールまたは情報処理装置に何らかの障害を与えてしまう可能性がある。
本発明は、上述した課題を解決し、管理権限を持つもののみが、取り外すことができるプラガブルモジュールを提供する。
【課題を解決するための手段】
【０００９】
上述した課題は、両側にケージとのラッチのための溝と、取り外しのための係合部とを有するモジュール本体と、その一部がラッチを解除するように溝に沿って配置され、係合部と奥行き方向でモジュール本体をロックするモジュール取り外し部と、からなるプラガブルモジュールにより、達成できる。
【００１０】
また、両側にケージとのラッチのための溝と、取り外しのための係合部とを有し、溝に沿って挿入し、係合部と奥行き方向でモジュール本体をロックするモジュール取り外し部を用いてケージから取り外すプラガブルモジュールにより、達成できる。
【００１１】
さらに、プラガブルモジュールとケージとの間に挿入されるラッチ解除部と、プラガブルモジュールを取り外し方向にロックするロック部と、プラガブルモジュールをケージから取り外すための取っ手部とを有する取り外し治具により、達成できる。
【発明の効果】
【００１２】
本発明によれば、管理権限を持つもののみが、取り外すことができるプラガブルモジュールを提供することができる。
【発明を実施するための最良の形態】
【００１３】
以下、本発明の実施の形態について、実施例を用い図面を参照して説明する。なお、同一部位には同じ参照番号を振り、説明は繰り返さない。ここで、図１は光送受信機モジュール本体の三面図である。図２は光送受信機モジュール取り外し部の四面図である。図３は光送受信機モジュールをケージに挿入する状態を説明する斜視図である。図４は板ばねによるラッチを説明する部分断面図である。図５は光送受信機モジュール取り外し部によるラッチ解除手順を説明する斜視図である。図６は光送受信機モジュール取り外し部による本体ロックを説明する斜視図である。図７は光送受信機モジュール取り外し部によるラッチ解除手順を説明する部分断面図である。図８は光送受信機モジュール取り外し部による本体引き出しを説明する斜視図である。
【００１４】
図１において、光送受信機モジュール本体１００は、概ね奥行き７８.０ｍｍ、高さ８.５ｍｍ、幅１８.３５ｍｍの外形を有する。ここで、奥行きとはケージへの挿入方向であり、平面図、正面図の左右の長さである。光送受信機モジュール本体１００は、平面図右端に示される深さ１.７ｍｍ×奥行き６.９ｍｍ×幅１６.１５ｍｍ掘り込み部分１１０の左端をケージ挿入基準位置としている。光送受信機モジュール本体１００は、ケージ挿入基準位置で、ケージ側基準位置と突き当て、ケージへの挿入を終える。光送受信機モジュール本体１００のケージ挿入基準位置から４４.１ｍｍの位置から、光送受信機モジュール本体１００の左端まで、高さ方向少なくとも４.３ｍｍ×深さ０.５ｍｍの溝１２０が、光送受信機モジュール本体１００の両側面の中央部に形成されている。上述した溝１２０の右側には、高さ方向２.０ｍｍ×奥行き方向２.０ｍｍ×深さ０.５ｍｍの溝１３０も形成されている。
【００１５】
平面図および側面図において、光送受信機モジュール本体１００のケージ非挿入部には、幅方向２箇所に、光送受信機モジュール取り外し部１５０との係合部１４０が形成されている。なお、係合部位置の光送受信機モジュール本体１００の両側の深さ０.５ｍｍの溝１２０は、少なくとも上方向に貫通している。換言すれば、光送受信機モジュール本体１００両側の深さ０.５ｍｍの溝１２０は、係合部１４０位置において、上方向に凸の段差がない。しかし、光送受信機モジュール本体１００の両側の深さ０.５ｍｍの溝１２０は、上方向に貫通していなくとも、良い。
【００１６】
図２において、光送受信機モジュール取り外し部１５０は、板厚０.５ｍｍのステンレス板を折り曲げ加工して形成する。平面図において、光送受信機モジュール取り外し部１５０は、底が水平なＵ字型である。Ｕ字の両端および底は、ステンレス板を１８０度折り曲げている。また、Ｕ字の両中間部に翼１６０を内側に形成し、両翼１６０の先端には下向きのフィン１７０を形成した構造である。光送受信機モジュール取り外し部１５０の底の幅は、１８.４５ｍｍであり、翼１６０は底から１２.３ｍｍ、高さ８.２ｍｍの位置に幅４.５ｍｍ×奥行き４.０ｍｍである。また、フィン１７０は翼１６０の先端に高さ１.７ｍｍ×奥行き２.０ｍｍである。
【００１７】
側面図において、Ｕ字部分は高さ３.２ｍｍ×奥行き３６ｍｍであり、先端部１８０はステップを形成されている。ステップは高さ１.６ｍｍ×奥行き２.５ｍｍで、このステップ部分が折り曲げられている。Ｕ字の底は高さ４.７ｍｍである。ステップ部分は、ラッチ解除部１８０である。
【００１８】
図３において、ホスト基板３００上には、ケージ２００が取り付けられ、ケージ２００のスロットに、光送受信機モジュール本体１００を矢印Ａの方向から挿入する。ケージ２００の上部開口の終端（ケージ側基準位置）には、ストッパ２１０が設けられている。また、ケージ２００の両側内側には、奥行き側に開いた板ばね２２０が取り付けられている。この板ばね２２０は、光送受信機モジュール本体１００のケージ挿入基準位置がストッパ２１０に当たる直前で、光送受信機モジュール本体１００の両側の溝１２０に落ち、光送受信機モジュール本体１００をラッチする。
【００１９】
図４を参照して、ラッチを説明する。図４はケージとケージにラッチされた光送受信機本体の右側面の部分断面図である。光送受信機モジュール本体１００をケージ２００に挿入すると、ケージ２００の両側の板ばね２２０は、光送受信機モジュール本体１００によって押し広げられる。しかし、ケージ２００の両側の板ばね２２０は、溝１２０部に到って元の位置に戻り、光送受信機モジュール本体１００をラッチ（係止）する。
【００２０】
図５を参照して、ケージからの光送受信機モジュール本体の取り外しを説明する。なお、光送受信機モジュール本体１００は、本来ケージ２００に挿入された状態から取り外される。しかし、図５において、理解のしやすさのため、光送受信機モジュール本体１００は、ケージ２００から半ば引き出された状態を図示する。
【００２１】
図５において、ケージ２００にラッチされた光送受信機モジュール本体１００と、ケージ２００の側面の隙間に、光送受信機モジュール取り外し部１５０を挿入する。なお、光送受信機モジュール本体１００と、ケージ２００の側面の隙間は、公差と光送受信機モジュール本体１００の溝により、形成されている。このとき、光送受信機モジュール取り外し部１５０は、Ｕ字の底（以下取っ手１９０と呼ぶ）をやや持ち上げ、両端付近を溝の下に沿わせて挿入する。
【００２２】
図６において、光送受信機モジュール本体１００とケージ２００の側面の隙間への、光送受信機モジュール取り外し部１５０の挿入を終了すると、取っ手１９０を水平に戻す。取っ手を水平に戻すことによって、光送受信機モジュール本体１００の係合部１４０と光送受信機モジュール取り外し部１５０のフィン１７０とが奥行き方向でロックされる。
【００２３】
図７において、光送受信機モジュール取り外し部１５０の挿入終了状態で、ケージ２００の両側の板ばね２２０は、光送受信機モジュール取り外し部１５０によって、溝から押し戻され、ラッチが解除された状態となる。
【００２４】
図８において、光送受信機モジュール取り外し部１５０が装着された光送受信機モジュール本体１００は、ケージ２００とのラッチが解除され、しかも光送受信機モジュール取り外し部１５０と奥行き方向でロックされているので、取っ手１９０を手前に引くことで、容易にケージ２００から引き出される。
【００２５】
なお、上述した説明では光送受信機モジュールを用いて説明したが、電気送受信機モジュールであっても良い。光送受信機モジュール本体の係合部は上面に設けたが、下面でも、側面でも良い。
【００２６】
本実施例に拠れば、取り外し治具を持つ者のみが、取り外すことができるプラガブルモジュールを提供することができる。
【図面の簡単な説明】
【００２７】
【図１】光送受信機モジュール本体の三面図である。
【図２】光送受信機モジュール取り外し部の四面図である。
【図３】光送受信機モジュールをケージに挿入する状態を説明する斜視図である。
【図４】板ばねによるラッチを説明する部分断面図である。
【図５】光送受信機モジュール取り外し部によるラッチ解除手順を説明する斜視図である。
【図６】は光送受信機モジュール取り外し部による本体ロックを説明する斜視図である。
【図７】光送受信機モジュール取り外し部によるラッチ解除手順を説明する部分断面図である。
【図８】光送受信機モジュール取り外し部による本体引き出しを説明する斜視図である。
【符号の説明】
【００２８】
１００…光送受信機モジュール本体、１１０…掘り込み部分、１２０…溝、１３０…溝、１４０…係合部、１５０…光送受信機モジュール取り外し部、１６０…翼、１７０…フィン（ロック部）、１８０…ラッチ解除部、１９０…取っ手、２００…ケージ、２１０…ストッパ、２２０…板ばね、３００…ホスト基板。
【図１】
2008186825.tif 000003
【図２】
2008186825.tif 000004
【図３】
2008186825.tif 000005
【図４】
2008186825.tif 000006
【図５】
2008186825.tif 000007
【図６】
2008186825.tif 000008
【図７】
2008186825.tif 000009
【図８】
2008186825.tif 000010